(57)【要約】      （修正有）【課題】多数のトイレットペーパーを保管できるトイレットペーパーホルダーを提供する。【解決手段】ロール状のトイレットペーパーを複数個係留するボックスとカッターを備えた縦長箱型であって、箱の内側の左右に対向してロール状ペーパーの芯棒の動きを規制する案内溝が設けられており、この案内溝は供給部と使用部と排出部を有し、かつ、供給部と使用部と排出部は連通している。【選択図】図１
0003175809.tif 000002
【実用新案登録請求の範囲】
【請求項１】
ロール状のトイレットペーパーを複数個係留するボックスとでカッターを備えた縦長箱型のトイレットペーパーホルダーにおいて、該箱の内側の左右に対向してロール状ペーパーの芯棒の動きを規制する案内溝が設けられており、この案内溝は供給部と使用部と排出部を有しかつ供給部と使用部と排出部は連通していることを特徴とするトイレットペーパーホルダー。
【請求項２】
供給部の案内溝の途中に屈曲部を有することを特徴とする請求項１に記載のトイレットペーパーホルダー。
【請求項３】
使用部に、ロール状のペーパー押さえ兼カッターを有し、該カッターが前記案内溝と独立した移動溝を有することを特徴とする請求項１又は請求項２に記載のトイレットペーパーホルダー。
【考案の詳細な説明】
【技術分野】
【０００１】
本考案は、トイレットペーパーホルダーに関する。
更に詳しくは、トイレットペーパーを上段に多数個積層させるストック部を備えた箱型
のトイレットペーパーホルダーにおいて、上段から下段にかけてホルダー芯を通す溝を作る、上段のストック部から取り出す事無くホルダー部に直接トイレットペーパーロールを供給し、使用出来るようにしたトイレットペーパーホルダーに関する。
【背景技術】
【０００２】
従来、家族に於いて、通常トイレットペーパーのホルダーには１つの予備のペーパーを付けているが、無くなっていることに気が付かず用を足してしまう事も多々あり、大変不便を感じていた。
これらに対して家庭やスーパー等トイレのトイレットペーパーホルダーのペーパーが使い尽くされて無くなっている場合、そこにストックされているもう１つのペーパーをセットして使える様にしてあったり、二個併設して使える様にしてある物が提供されている。
【０００３】
しかしこれらの場合ストックされているのは１つだけであり、不特定多数の人が利用するスーパー等の公共の場では備えが十分でないと言う問題があった、又家庭でも無くなった事に気が付かず用を足してしまい後で困った事になり、スーパー側もストックが１つでは忙しい時にはいつ無くなったか分からず、大事な客に不便を感じさす事になる。
【０００４】
従来より、次の様な問題点があった、家庭に於いてトイレットペーパーホルダーには１つの予備のペーパーが付いているが、無くなっている事に気が付かず用を足してしまったら大変不都合な事になるし、トイレの中に棚を作って置いておくにはトイレの中は狭く、棚を作っても狭く圧迫感を感じてしまう、又他所に置いておくと、用を足している途中に気が付くと取りに行く事も出来なくなる。
スーパー等でトイレにトイレットペーパーが無くなっている事に気が付かずお客が用を足してしまうと後で困る事になるし、スーパー側もストックが１つでは客が混雑した時にいつ無くなったか分からず、度々トイレットペーパーの事だけを気にすることも出来ず、たくさん置いておくとそのままロールペーパーを持ち去られるこという不便がおきた。
【０００５】
ペーパーを１つ別にストックして使用するものや並列に設置して１つずつ使用する物は既にあるが、１つ別にストックして使用するものでは不便さは今までとあまり変わらないのと、並列に設置して１つずつ使用するホルダーは時には二つ同時に使われて、二つとも中途半端な状態に使用されて店舗においては翌日中途半端なまま新しいロールペーパーに交換せざるを得ず残りが無駄になった。又高価である為一般家庭向きではない、又特殊な形状を持ったり特殊な器具を組み込んだ場合提供が高価になるという問題点があった（特許文献１）。
【先行技術文献】
【特許文献】
【０００６】
【特許文献１】特開２０１２−２２５号公報
【考案の概要】
【考案が解決しようとする課題】
【０００７】
本考案は、上記問題点を解決し、制作費が安価で、且つ、多数個のトイレットペーパーを保管
できるトイレットペーパーホルダーを提供することを目的とする。
【課題を解決するための手段】
【０００８】
本考案は、上記課題を解決するために、
ロール状のトイレットペーパーを複数個係留するボックスとでカッターを備えた縦長箱型のトイレットペーパーホルダーにおいて該箱の内側の左右に対向してロール状ペーパーの芯棒の動きを規制する案内溝が設けられており、この案内溝は供給部と使用部と排出部を有しかつ供給部と使用部と            排出部は連通していることを特徴とするトイレットペーパーホルダーである。
更には、上記において、該供給部の案内溝の途中に屈曲部を有することを特徴とする上記記載の
トイレットペーパーホルダーである。
更には、上記において、該使用部に、ロール状のペーパー押さえ兼カッターを有し、該カッター
が前記案内溝と独立した移動溝を有することを特徴とするトイレットペーパーホルダーである。
より詳しくは、上記の問題点を解決する為に、縦長のボックス状を形成し、トイレットペーパー
の芯に芯棒を通し、該箱の内側の左右に抵抗してその芯棒の異動を規制する溝を造る。溝は供給
部分とホルダー使用部分と排泄部に分かれるが溝は連結されていてストック部分に通されたペー
パーは直接ホルダー部分には落ちないように溝が構成されている。その為ストックされたトイレ
ットペーパーを取り出したりする事無くペーパーホルダー部分に連続設置でき使用出来る様にし
ストックボックスとホルダーが一体になった物である。ホルダー部には開口部を設けてロールペ
ーパーを引き出せる様にし、ストック部の最下段のペーパーを指で手前に回す様に引けばホルダ
ー部に落ちて設置できる、そしてストックを多くしようと思えばボックスを上に伸ばせば幾らで
も伸ばしストックでき特殊な形状を持ったり特殊な器具を組み込む事無く使用出来る様にした、
トイレットペーパーホルダーである。
【考案の効果】
【０００９】
本発明は一般家庭では狭いトイレの中を有効に使用でき、又一旦ストックの中にペーパーを入れると取り出す事を出来なくする事も可能であり、そのままストック部分からホルダーの中に直接設置出来て使用可能状態にする事が出来るのでスーパー等ではトイレットペーパーの持ち去りを防ぐことが出来る。又家族では壁の中に埋め込み、使用する事も可能で、トイレの限られた空間を広く使える、時々起こりうるがロールペーパーを上下反対に設置し他場合使用できないので一度取り出して設置し直すと言う事態になる事もあったが、このストック併設ホルダーの場合一度入れたら取り出し上下を入れ替える事が難しいので、ホルダー部分に上下両方にペーパーカッターの歯を取り付けて取り出して設置し直す必要の無い様にしてある。又家庭用では一旦取り出して上下を入れ替える様に溝を構成する。
【図面の簡単な説明】
【００１０】
【図１】図１は、この発明の構成を示す斜視図でロールペーパーを設置した状態である。
【図２】図２は、本体の発明のロールペーパー部の溝の構成を示す斜視図で斜線部はカッター部の溝である。
【図３】図３は、家庭用の溝構成でロールペーパーを外から出し入れ出来る様に外まで通じて      いる、カッター部の溝は図２と同じである。
【図４】図４は、ロールペーパーを使用し終わった状態で、新たなペーパーを設置する前、使      用し終わったロールペーパーを下の溝に落とし上の歯が下に垂れ下がった状態である。
【図５】図５は、上部カッター部の図であり、最下部のロールペーパーを落とす前に上の歯を１５の溝に押しやりロールペーパーを落とした図であり、１４の上段のロールペーパーを下に落として使用状態にした後、指を突っ込み上の歯カッターを上にあげて、使用状態に設置する状態である。
【図６】図６は、上部カッターの詳細図である。
【考案を実施するための形態】
【００１１】
本考案を更に図をもって詳細に説明する。
図１において、トイレットペーパーの芯部分に１の芯棒を通す為の芯になる棒を用意する。上部に１１の開口部を設け芯になる棒を通すための２の溝を付ける。溝はストック部分とホルダー部と取り出し部分に分かれるが、ストック部とホルダー部の溝は図１の６の部分の様に溝部分はすれ違うようにして連結されている。
ストック部分からホルダー部分には６の様に部分的に上を向いているので簡単にそのままでは落ちない。人の手で落とす必要がある。
落とされたトイレットペーパーは再度４の部分で止まり、ここでペーパーホルダーとなる。
開口部から手を入れてペーパーを取り出し使用する、切り取りの歯は上下両方に付け上下を間違って入れても使用できる。但し家庭用では歯は上下両方に付けるより、一旦外に出して上下を入れ替える方が安価に出来るので１８の溝を外部まで通し外へロールペーパーを取り出す事ができるが使用する際は４の溝に引っかけて使用する。
【００１２】
図４において、上部カッターは１０の溝を付けて、上の歯を引き出して使用できるように２０穴
に手を入れて引き出す、又は取っ手を付けて取り出し易いようにする、これはペーパーの空回りを防止する役目もする。
サイド又は正面にスリットの溝穴を付けて、ストックの中のペーパーの数を確認できる。
ペーパーホルダーで使用し終わったペーパーとペーパーの芯は１９の様に下の芯棒ストックに落とす、溜まったら７から取り出す。
溝の最終部分５はペーパーの芯棒が落とせるぎりぎりの幅に狭くしておく、そうすると使用中又は未使用のペーパーを抜き取る事は出来ない。
１０の溝を付けて、上の歯を使用可能にすると、ストックにある一番下のペーパーを悪意で落とうとしても下まで落ちない。９は下に付けた歯である。着脱出来る様にしておくとより便利である、本考案は、以上の構成からなっている。
【００１３】
図１において本考案を使用する時はトイレットペーパーの芯に１の芯棒をトイレットペーパーに通す、１１の上蓋を開けて、２の溝にあらかじめ芯棒を通したロールペーパーを入れ落としていく、が必要に応じて長さを長くすれば何個でもストックするのが可能である、１２はペーパーホルダーでペーパーの取り出し口であり好みの高さにしてトイレの中に設置する。
図１の２部分にトイレットペーパーを次々と入れても３の部分で止まる為一杯になるまであらかじめ芯棒を通したロールペーパーを２の溝の中に入れ込む、ここ迄がペーパーのストックの役目をする、この部分は長くすればする程たくさんのペーパーをストックでき、たくさんストックしたい場合は継ぎ足しを出来るようにする。
トイレットペーパーを使用状態にするには１２の開口部から手を入れて、上歯兼空回り防止の板を押して１５の溝に引っ掛ける、その後１４の一番下のトイレットペーパーを手前に回転させながら落とすと簡単に６から１８を通り４の溝に落ちるがロールペーパーが邪魔をして５のほうには落ちない。空回りするとペーパーがうまく切り取れないので１０の溝を両サイドに切り、上歯兼空回り防止の板を付ける、この溝は図３の１０のみを移動してロールペーパーの伸の溝より太く深さが違うのでペーパーの芯はこの溝へは移動しないし上歯も１８の溝へ移動しない。ホルダー部分のペーパーを使い切ったら、芯棒は下の１６の使用後の空間に落とすと同時に上歯は図４の８Ｂの様になる。
【００１４】
図5において、使用し終わったペーパーをホルダー部分に落とした後は、上歯兼空回り防止の板
を１５の溝に押し込み図5の８Ｂの様にして、１４の最下端のペーパーを指で手前に回しながら下に取り出して１５の溝から上歯カッターの穴に指を入れ引き出してペーパーの上に設置する。この場合上歯兼空回り防止の板が１５の位置にある時穴に指を入れて上下して、ホルダーに設置してあるロールペーパーの邪魔にならない位置にあることを確認すること。
６へ落ちたらここが従来のペーパーホルダーの役目をするが、１２の開口部に手を入れて、６で固定されたペーパーを使用可能状態に４へ取り出す、ペーパーが上から出た場合は８の上歯兼空回り防止板を使用して切り取る、下から出た場合は９を使用可能状態にして切り取れるようにする、なぜなら沢山重ねいれた中で１つだけ反対にはいっていた場合全部出して入れ替える手間を無くしたもので、つまりどちら向きに入れても、使用可能にしたものである。
【００１５】
上歯兼空回り防止の板の芯棒とペーパーホルダーの芯棒の大きさが違うのと、溝の深さを変え
る事で、上歯兼空回り防止の板はペーパーホルダーの溝へは落ちない。
５の部分は芯棒の通るだけの隙間しかないので、未使用のトイレットペーパーを下から抜き出すことは出来ない。
１３にスリットの溝穴をつけて中にどれだけあるかを見ることが出来るようにする。ただし、家庭で邪魔になると思えば壁の厚さだけ本体を埋め込むことで出来る。その場合はスリットの穴を、正面に付ける。
たくさん使用し終り、１６が一杯になったら７から芯棒を取り出し、又新たに未使用のトイレットペーパーの芯に差し込み変え、上のストック部分から入れる。
使用しているペーパーの上から、いたずらに１４のペーパーが落とされた場合、上歯５の芯棒が邪魔になり下に落ちない。
９は下に付けた歯であり、ロールペーパーを通常とは反対向きに入れていた場合入れ替えることが難しい様にしてあるので、下の歯を使って切り取る。下の歯は収納可能にしてあり、通常邪魔になる場合は収納しておく。
【００１６】
家庭用においてはロールペーパーを逆さまに入れた場合一旦ペーパーを抜き出して、上下を反対
にしてもう一度入れ替えることが出来るように、使用部の１８の部分の溝を外部まで延長させておく、又店舗等の営業に使う場合は外部から取り出せない様に２３の溝は途中で止めておくが、その場合上下に切り取りの歯を付けて下の歯は邪魔になるので着脱出来るようにしておくと便利である。
【産業上の利用可能性】
【００１７】
本考案のトイレットペーパーホルダーは、家庭のみならず、公共施設等に設置することで、トイレットペーパー切れを解消することが可能であり、広範囲に利用可能である。
【符号の説明】
【００１８】
１  ペーパーの芯棒
１Ａ  供給部へ入れた状態の芯棒
２Ｂ  供給部へ入れた最下部の芯棒
２  芯棒を通す溝
３  トイレットペーパー落下防止溝ペーパーを落として使用する溝で、（従来のペーパーホルダーの部分
である。）
４  ペーパーを使用後に下に落とす溝（芯棒の通るだけの幅）
５  ペーパーストックとペーパーホルダーの境の溝
６  供給部から使用部へのすれ違いの連絡の溝
７  使用済み芯棒の取り出し口
８  ペーパー破り取り上歯（ペーパーの巻きが下向きの時に使用普段は空回り防止の役目）
８Ａ  ロールペーパーを使用し終わった状態のカッター歯
８Ｂ  カッター歯を奥へおし込んだ状態のカッター歯
９  ペーパー破り取り下歯（ペーパーの巻きが上向きの時に使用、収納可能）
１０  ペーパー空回り防止の重り兼上歯の取り付け溝
１１  ペーパー挿入口（ロック付き）
１２  ペーパーのホルダー部への引き出し口
１３  ペーパーの確認スリット
１４  ペーパーストック部分の下端のロールペーパー
１５  重り兼上歯引っ掛け部（ストック部分からホルダー部へペーパーを落とす時に使用）
１６  使用したペーパーの芯と芯棒を落としておくスペース
１７  ペーパー破り取りの下歯の溝
１８  ホルダー部分の溝、家庭用では１８の溝を外まで通して上下を入れ替えられる様にしてある。
１９  ホルダー部分の溝から１６に芯棒を落とした状態
２０  ペーパー破り取り上歯の穴でここに指を入れて上歯を引き出す
２１  上歯を使用状態の溝部分から、１５の溝に押し込んだ状態
【図１】
0003175809.tif 000003
【図２】
0003175809.tif 000004
【図３】
0003175809.tif 000005
【図４】
0003175809.tif 000006
【図５】
0003175809.tif 000007
【図６】
0003175809.tif 000008